(57)【要約】【課題】本来の通話以外の動作のために占有しなければならない時間を極力短縮して電話機としての利便性を向上させることが可能なデジタル方式の通信システムを提供する。【解決手段】外部電話回線Ｘに接続された親機Ｔと、親機Ｔを介して外部電話回線Ｘに接続される複数の子機Ｋ１乃至Ｋ３と、を含むデジタル方式の電話システムＳにおいて、親機Ｔ並びに各子機Ｋ１乃至Ｋ３において共通化すべき電話帳データを、子機Ｋ１の操作によりに親機並びに他の子機Ｋ２及びＫ３夫々送信するとき、子機Ｋ２及びＫ３から当該電話帳データの受信要求を親機Ｔを介して子機Ｋ１に送信し、子機Ｋ１は対応する電話帳データを送信し、親機Ｔは当該電話帳データを連続して又は同時並行的に子機Ｋ２及びＫ３に中継する。【選択図】図１
2007336238.tif 000002
【特許請求の範囲】
【請求項１】
外部回線に接続された第１の通信装置と、当該第１の通信装置を介して前記外部回線に接続される複数の第２の通信装置と、を備えるデジタル方式の通信システムにおいて、
各前記通信装置において共通に用いられるべき共通情報を、当該共通情報の送信元となるいずれか一つの前記通信装置である送信通信装置から、当該共通情報の受信先となる他の複数の前記通信装置である複数の受信通信装置に夫々送信するとき、
前記送信通信装置は、各前記受信通信装置の夫々に対して纏めて前記共通情報を送信する送信元送信手段を備え、
各前記受信通信装置は、
前記送信通信装置から前記共通情報が送信されてきたとき、当該送信されてきた共通情報を記録する記録手段と、
前記記録された共通情報を用いて当該共通情報に対応する処理を行う処理手段と、
を夫々に備えることを特徴とする通信システム。
【請求項２】
請求項１に記載の通信システムにおいて、
前記送信元送信手段は、各前記受信通信装置の夫々に対して前記共通情報を連続して送信することを特徴とする通信システム。
【請求項３】
請求項１に記載の通信システムにおいて、
前記送信元送信手段は、各前記受信通信装置の夫々に対して前記共通情報を同時に送信することを特徴とする通信システム。
【請求項４】
外部回線に接続された第１の通信装置と、当該第１の通信装置を介して前記外部回線に接続される複数の第２の通信装置と、を備えるデジタル方式の通信システムにおいて、
各前記通信装置において共通に用いられるべき共通情報を、当該共通情報の送信元となるいずれか一つの前記通信装置である送信通信装置から、当該共通情報の受信先となる他の複数の前記通信装置である複数の受信通信装置に夫々送信するとき、
各前記受信通信装置は、
前記共通情報の受信を要求する旨の受信要求情報を前記送信通信装置に夫々送信する受信先送信手段と、
前記送信通信装置から前記共通情報が送信されてきたとき、当該送信されてきた共通情報を記録する記録手段と、
前記記録された共通情報を用いて当該共通情報に対応する処理を行う処理手段と、
を夫々に備え、
前記送信通信装置は、前記受信通信装置から前記受信要求情報が送信されてきたとき、当該受信要求情報を送信してきた前記受信通信装置の夫々に対して纏めて前記共通情報を送信する送信元送信手段を備えることを特徴とする通信システム。
【請求項５】
請求項４に記載の通信システムにおいて、
前記送信元送信手段は、前記受信要求情報を送信してきた前記受信通信装置の夫々に対して前記共通情報を連続して送信することを特徴とする通信システム。
【請求項６】
請求項４に記載の通信システムにおいて、
前記送信元送信手段は、前記受信要求情報を送信してきた前記受信通信装置の夫々に対して前記共通情報を同時に送信することを特徴とする通信システム。
【請求項７】
請求項１から６のいずれか一項に記載の通信システムにおいて、
前記共通情報は、
各前記通信装置において共通に用いられるべき当該共通情報の本体を構成する本体情報と、
前記本体情報の情報量を示すヘッダ情報と、
により構成されており、
前記記録手段は、受信した前記共通情報に含まれる前記ヘッダ情報により示される前記情報量に相当する記録領域のみを当該受信した共通情報用に確保して当該共通情報を記録することを特徴とする通信システム。
【請求項８】
請求項７に記載の通信システムにおいて、
前記本体情報は、複数通話先分の電話番号情報を含む本体情報であり、
前記ヘッダ情報は、各前記電話番号情報毎の前記情報量を示すヘッダ情報であり、
更に前記記録手段は、受信した前記共通情報に含まれる前記ヘッダ情報により示される前記情報量に相当する記録領域のみを当該受信した電話番号情報一通話先分毎に確保して当該共通情報を記録することを特徴とする通信システム。
【請求項９】
請求項１から８のいずれか一項に記載の通信システムにおいて、
前記送信通信装置は、前記第２の通信装置のいずれか一つであり、
前記第１の通信装置は、当該送信通信装置たる前記第２の通信装置から送信された前記共通情報を他の前記第２の通信装置に向けて中継する中継手段を更に備えることを特徴とする通信システム。
【請求項１０】
請求項１から７のいずれか一項に記載の通信システムにおいて、
前記共通情報は、各前記通信装置において同一に設定されるべき着信音量を設定するための音量設定情報であることを特徴とする通信システム。
【請求項１１】
請求項１から１０のいずれか一項に記載の通信システムに含まれる前記送信通信装置としての前記通信装置であって、
前記送信元送信手段を備えることを特徴とする通信装置。
【請求項１２】
請求項１から１０のいずれか一項に記載の通信システムに含まれる前記受信通信装置としての前記通信装置であって、
前記記録手段と、
前記処理手段と、
を備えることを特徴とする通信装置。
【請求項１３】
請求項４から１０のいずれか一項に記載の通信システムに含まれる前記受信通信装置としての前記通信装置であって、
前記受信先送信手段と、
前記記録手段と、
前記処理手段と、
を備えることを特徴とする通信装置。
【請求項１４】
外部回線に接続された第１の通信装置と、当該第１の通信装置を介して前記外部回線に接続される複数の第２の通信装置と、を備えるデジタル方式の通信システムにおいて実行される通信方法において、
各前記通信装置において共通に用いられるべき共通情報を、当該共通情報の送信元となるいずれか一つの前記通信装置である送信通信装置から、当該共通情報の受信先となる他の複数の前記通信装置である複数の受信通信装置に夫々送信するとき、
各前記受信通信装置の夫々に対して纏めて前記共通情報を前記送信通信装置から送信する送信元送信工程と、
前記送信通信装置から前記共通情報が各前記受信通信装置に送信されたとき、当該送信されてきた共通情報を各前記受信通信装置内に記録する記録工程と、
各前記受信通信装置において、前記記録された共通情報を用いて当該共通情報に対応する処理を行う処理工程と、
を含むことを特徴とする通信方法。
【請求項１５】
外部回線に接続された第１の通信装置と、当該第１の通信装置を介して前記外部回線に接続される複数の第２の通信装置と、を備えるデジタル方式の通信システムにおいて実行される通信方法において、
各前記通信装置において共通に用いられるべき共通情報を、当該共通情報の送信元となるいずれか一つの前記通信装置である送信通信装置から、当該共通情報の受信先となる他の複数の前記通信装置である複数の受信通信装置に夫々送信するとき、
前記共通情報の受信を要求する旨の受信要求情報を各前記受信通信装置から前記送信通信装置に夫々送信する受信先送信工程と、
前記受信通信装置から前記受信要求情報が送信されたとき、当該受信要求情報を送信してきた前記受信通信装置の夫々に対して纏めて前記共通情報を前記送信通信装置から送信する送信元送信工程と、
前記送信通信装置から前記共通情報が各前記受信通信装置に送信されたとき、当該送信されてきた共通情報を各前記受信通信装置内に記録する記録工程と、
各前記受信通信装置において、前記記録された共通情報を用いて当該共通情報に対応する処理を行う処理工程と、
を含むことを特徴とする通信方法。
【請求項１６】
請求項１から１０のいずれか一項に記載の通信システムに含まれる前記送信通信装置としての前記通信装置に含まれるコンピュータを、前記送信元送信手段として機能させることを特徴とする通信装置用プログラム。
【請求項１７】
請求項１から１０のいずれか一項に記載の通信システムに含まれる前記受信通信装置としての前記通信装置に含まれるコンピュータを、
前記記録手段、及び、
前記処理手段、
として機能させることを特徴とする通信装置用プログラム。
【請求項１８】
請求項４から１０のいずれか一項に記載の通信システムに含まれる前記受信通信装置としての前記通信装置に含まれるコンピュータを、
前記受信先送信手段、
前記記録手段、及び、
前記処理手段、
として機能させることを特徴とする通信装置用プログラム。
【発明の詳細な説明】
【技術分野】
【０００１】
本願は、通信システム、通信装置、通信方法及び通信装置用プログラムの技術分野に属し、より詳細には、外部回線に接続された例えば親機と、当該親機を介して当該外部回線に接続される複数の例えば子機と、を備えるデジタル方式の通信システム、当該親機又は子機としての通信装置、当該通信システムにおいて実行される通信方法並びに当該各通信装置用プログラムの技術分野に属する。
【背景技術】
【０００２】
近年、例えば家庭用の電話機の分野において、外部の電話回線に接続された親機と、当該親機と無線により接続された一又は複数の子機と、により構成される親子電話機が一般化している。
【０００３】
このとき、従来の親子電話機においては、よく電話をかける相手先の電話番号等を一覧にして記憶しておく、いわゆる電話帳機能が備わっているものがあるが、この電話帳については、上記親機と子機との間で同一のものを活用できることが好ましい。
【０００４】
ここで、上述したように親機と子機との間で電話帳データを共通化する場合、親機又は子機のいずれか一方で入力された電話帳データをいずれか他方にそのまま転送することで当該共有化を実現する構成とすれば、親機と子機夫々において別個に電話帳データの入力操作を行う手間を省くことができる。
【０００５】
そして、このような電話帳データ共有化のための技術としては、例えば下記特許文献１に記載されたものがある。
【特許文献１】特開２００５−３０３５０２公報（第６図等）
【発明の開示】
【発明が解決しようとする課題】
【０００６】
しかしながら、上述した特許文献１記載の発明の構成によると、電話帳データ転送のための操作が子機一台に対して一回必要になる。そしてこの場合において子機が復数台増設されたときには、同一内容の電話帳データを全ての子機に転送する場合、その子機の台数分だけ一対一の電話帳データ転送動作（操作）を繰り返さなければならず、結果として、本来の目的である通話以外の目的のためにその電話機を占有しなければならない時間が不要に増えてしまうという問題点があった。
【０００７】
また、従来の親子電話機において、当該電話帳データの転送中において外部から電話がかかってきたときには、当該転送動作を一時的に中断しなければならず、その結果として当該転送動作の完結までの時間が長くなってしまうという問題点があり、この点を鑑みても、当該転送動作自体を短時間化ことに対する要請は強い。
【０００８】
そこで、本願は上記の各問題点に鑑みて為されたもので、その課題の一例は、例えば電話帳データの転送動作等、本来の通話以外の動作のために占有しなければならない時間を極力短縮して電話機としての利便性を向上させることが可能なデジタル方式の通信システム、当該通信システムに含まれる親機又は子機としての通信装置、当該通信システムにおいて実行される通信方法並びに当該各通信装置用プログラムを提供することにある。
【課題を解決するための手段】
【０００９】
上記の課題を解決するために、請求項１に記載の発明は、外部回線に接続された第１の通信装置と、当該第１の通信装置を介して前記外部回線に接続される複数の第２の通信装置と、を備えるデジタル方式の通信システムにおいて、各前記通信装置において共通に用いられるべき共通情報を、当該共通情報の送信元となるいずれか一つの前記通信装置である送信通信装置から、当該共通情報の受信先となる他の複数の前記通信装置である複数の受信通信装置に夫々送信するとき、前記送信通信装置は、各前記受信通信装置の夫々に対して纏めて前記共通情報を送信する制御部等の送信元送信手段を備え、各前記受信通信装置は、前記送信通信装置から前記共通情報が送信されてきたとき、当該送信されてきた共通情報を記録するメモリ等の記録手段と、前記記録された共通情報を用いて当該共通情報に対応する処理を行う制御部等の処理手段と、を夫々に備える。
【００１０】
上記の課題を解決するために、請求項４に記載の発明は、外部回線に接続された第１の通信装置と、当該第１の通信装置を介して前記外部回線に接続される複数の第２の通信装置と、を備えるデジタル方式の通信システムにおいて、各前記通信装置において共通に用いられるべき共通情報を、当該共通情報の送信元となるいずれか一つの前記通信装置である送信通信装置から、当該共通情報の受信先となる他の複数の前記通信装置である複数の受信通信装置に夫々送信するとき、各前記受信通信装置は、前記共通情報の受信を要求する旨の受信要求情報を前記送信通信装置に夫々送信する制御部等の受信先送信手段と、前記送信通信装置から前記共通情報が送信されてきたとき、当該送信されてきた共通情報を記録するメモリ等の記録手段と、前記記録された共通情報を用いて当該共通情報に対応する処理を行う制御部等の処理手段と、を夫々に備え、前記送信通信装置は、前記受信通信装置から前記受信要求情報が送信されてきたとき、当該受信要求情報を送信してきた前記受信通信装置の夫々に対して纏めて前記共通情報を送信する制御部等の送信元送信手段を備える。
【００１１】
上記の課題を解決するために、請求項１１に記載の発明は、請求項１から１０のいずれか一項に記載の通信システムに含まれる前記送信通信装置としての前記通信装置であって、前記送信元送信手段を備える。
【００１２】
上記の課題を解決するために、請求項１２に記載の発明は、請求項１から１０のいずれか一項に記載の通信システムに含まれる前記受信通信装置としての前記通信装置であって、前記記録手段と、前記処理手段と、を備える。
【００１３】
上記の課題を解決するために、請求項１３に記載の発明は、請求項４から１０のいずれか一項に記載の通信システムに含まれる前記受信通信装置としての前記通信装置であって、前記受信先送信手段と、前記記録手段と、前記処理手段と、を備える。
【００１４】
上記の課題を解決するために、請求項１４に記載の発明は、外部回線に接続された第１の通信装置と、当該第１の通信装置を介して前記外部回線に接続される複数の第２の通信装置と、を備えるデジタル方式の通信システムにおいて実行される通信方法において、各前記通信装置において共通に用いられるべき共通情報を、当該共通情報の送信元となるいずれか一つの前記通信装置である送信通信装置から、当該共通情報の受信先となる他の複数の前記通信装置である複数の受信通信装置に夫々送信するとき、各前記受信通信装置の夫々に対して纏めて前記共通情報を前記送信通信装置から送信する送信元送信工程と、前記送信通信装置から前記共通情報が各前記受信通信装置に送信されたとき、当該送信されてきた共通情報を各前記受信通信装置内に記録する記録工程と、各前記受信通信装置において、前記記録された共通情報を用いて当該共通情報に対応する処理を行う処理工程と、を含む。
【００１５】
上記の課題を解決するために、請求項１５に記載の発明は、外部回線に接続された第１の通信装置と、当該第１の通信装置を介して前記外部回線に接続される複数の第２の通信装置と、を備えるデジタル方式の通信システムにおいて実行される通信方法において、各前記通信装置において共通に用いられるべき共通情報を、当該共通情報の送信元となるいずれか一つの前記通信装置である送信通信装置から、当該共通情報の受信先となる他の複数の前記通信装置である複数の受信通信装置に夫々送信するとき、前記共通情報の受信を要求する旨の受信要求情報を各前記受信通信装置から前記送信通信装置に夫々送信する受信先送信工程と、前記受信通信装置から前記受信要求情報が送信されたとき、当該受信要求情報を送信してきた前記受信通信装置の夫々に対して前記共通情報を前記送信通信装置から送信する送信元送信工程と、前記送信通信装置から前記共通情報が各前記受信通信装置に送信されたとき、当該送信されてきた共通情報を各前記受信通信装置内に記録する記録工程と、各前記受信通信装置において、前記記録された共通情報を用いて当該共通情報に対応する処理を行う処理工程と、を含む。
【００１６】
上記の課題を解決するために、請求項１６に記載の発明は、請求項１から１０のいずれか一項に記載の通信システムに含まれる前記送信通信装置としての前記通信装置に含まれるコンピュータを、前記送信元送信手段として機能させる。
【００１７】
上記の課題を解決するために、請求項１７に記載の発明は、請求項１から１０のいずれか一項に記載の通信システムに含まれる前記受信通信装置としての前記通信装置に含まれるコンピュータを、前記記録手段、及び、前記処理手段、として機能させる。
【００１８】
上記の課題を解決するために、請求項１８に記載の発明は、請求項４から１０のいずれか一項に記載の通信システムに含まれる前記受信通信装置としての前記通信装置に含まれるコンピュータを、前記受信先送信手段、前記記録手段、及び、前記処理手段、として機能させる。
【発明を実施するための最良の形態】
【００１９】
次に、本願を実施するための最良の形態について、図面に基づいて説明する。なお、以下に説明する実施形態は、外部電話回線に直接接続された親機と、当該親機を介して外部電話回線に接続されている複数の子機と、により構成されている例えば家庭用の電話システムに対して本願を適用した場合の実施の形態である。なお、当該電話システムは、親機及び各子機との間の無線通信がデジタル的に実行される電話システムである。
【００２０】
（Ｉ）第１実施形態
始めに、本願に係る第１実施形態について、図１乃至図４を用いて説明する。なお、図１は第１実施形態に係る電話システムの概要構成を示すブロック図であり、図２は当該電話システム内において授受される電話帳データの構造を示す図であり、図３は当該電話システムにおける動作を示す流れ図であり、図４は当該電話システムの動作における受信待機状態の際の動作を示すフローチャートである。
【００２１】
図１に示すように、第１実施形態に係る電話システムＳは、上記親機Ｔと、三台の上記子機Ｋ１乃至Ｋ３と、により構成されている。
【００２２】
このとき、当該各子機Ｋ１乃至Ｋ３は、夫々に親機Ｔとの間で無線通信が可能とされており、当該各子機Ｋ１乃至Ｋ３から外部電話回線Ｘに接続して通話を行う場合は、親機Ｔを介して当該外部電話回線Ｘに接続する。
【００２３】
次に、上記親機Ｔ並びに各子機Ｋ１乃至Ｋ３夫々の細部構成について、図１を用いて説明する。
【００２４】
図１に示すように、第１実施形態に係る電話システムＳを構成する親機及び子機Ｋ１乃至Ｋ３は、それらに共通する構成として、液晶ディスプレイ等からなる表示部１と、タイマ２Ａを含むＣＰＵ等からなる受信先送信手段、処理手段、中継手段及び送信元送信手段としての制御部２と、操作ボタン等からなる操作部３と、不揮発性記憶領域及び揮発性記憶領域を夫々に有する記録手段としてのメモリ４と、無線部５と、アンテナ６と、を備えている。これらに加えて、親機Ｔの場合は、外部電話回線Ｘに接続するためのインターフェース７を更に備えている。
【００２５】
上記の構成において、親機Ｔ並びに子機Ｋ１乃至Ｋ３の制御部２は、夫々の操作部３において実行された操作者による操作の内容に基づき、当該操作内容が親機Ｔ並びに各子機Ｋ１乃至Ｋ３において実行されるように夫々の構成部材を統括制御する。
【００２６】
これに際し、親機Ｔ並びに子機Ｋ１乃至Ｋ３のメモリ４は、上記制御部２による統括制御を実行するために必要なデータを一時的に記憶すると共に、必要に応じて制御部２に出力する。これに加えてメモリ４は、後述する電話帳データＤＴをその不揮発性領域に記憶する。
【００２７】
一方、親機Ｔ並びに各子機Ｋ１乃至Ｋ３の動作に当たって必要な情報(例えば、通話先の電話番号等)は、制御部２の制御の下、夫々の表示部１において表示される。
【００２８】
他方、親機Ｔと、各子機Ｋ１乃至Ｋ３との間の無線通信に当たり、相手方から受信すべき情報についてはアンテナ６を介して受信された対応する電波が無線部５において復調・増幅された後に夫々の制御部２に出力されると共に、相手方に送信すべき情報については当該情報が無線部５において符号化／暗号化された後、アンテナ６を介して相手方に送信されることとなる。
【００２９】
これらの動作に加えて、親機Ｔのインターフェース７は、外部電話回線Ｘを介して外部から電話がかかってきたときは、当該電話に相当する通話情報に対して予め設定された入力インターフェース処理を施し、親機Ｔの制御部２に出力する。なお、当該外部からかかってきた電話をいずれかの子機Ｋで受信する場合には、上記通話情報を無線部５及びアンテナ６を介して当該受信すべき子機Ｋに送信することとなる。
【００３０】
これに対し、親機Ｔ自体又はいずれかの子機Ｋから外部に電話をかけるときは、親機Ｔ自体で生成された当該電話に対応する通話情報又は当該子機Ｋから送信されて来た通話情報は、インターフェース７において予め設定された出力処理が施され、外部電話回線Ｘを介して当該通話の相手方に送信されることとなる。
【００３１】
次に、第１実施形態に係る上記電話帳データＤＴの構成について、具体的に図２を用いて説明する。
【００３２】
図２に示すように、第１実施形態に係る親機Ｔ並びに子機Ｋ１乃至Ｋ３夫々のメモリ４における不揮発性領域内には、通話先一件分に相当する電話帳レコードＲを複数件分含む電話帳データＤＴが夫々記憶されている。
【００３３】
そして、一件分の電話帳レコードＲは、当該電話帳レコードＲが相当する通話先の名称を表示部２に表示する際に用いられる表示名情報Ｎと、当該通話先を検索する際等に用いられる当該名称の読みに相当する読み情報Ｙと、電話帳レコードＲとしての電話番号自体である電話番号情報ＮＯと、により構成されている。
【００３４】
ここで、第１実施形態に係る電話システムＳにおいては、後述するように親機Ｔ又は子機Ｋ１乃至Ｋ３のいずれかから電話帳レコードＲを転送することにより当該親機Ｔ並びに各子機Ｋ１乃至Ｋ３に記憶される電話帳データＤＴを共通化（同一化）するが、この転送の際には、上述した構成を備える一つの電話帳レコードＲに対して、その先頭にヘッダ情報としてのデータ長情報Ｈが付加された送信電話帳データＤとして転送される。このとき、当該データ長情報Ｈは、それに後続する電話帳レコードＲ一つ分の情報量を示す情報であり、このデータ長情報Ｈを合わせて転送することにより、第１実施形態に係る電話システムＳにおいては、一つの電話帳レコードＲ自体の情報量（データ長）は、各電話帳レコードＲ毎に可変とされている。
【００３５】
次に、上述した構成を備える第１実施形態に係る電話システムＳにおいて実行される、本願に係る電話帳データＤＴの共通化処理について、具体的に図３及び図４を用いて説明する。なお、図３においては、第１実施形態に係る親機Ｔ並びに各子機Ｋ１乃至Ｋ３における夫々の動作を、図３中上から下に向かって時間が経過するように示している。
【００３６】
なお、以下に説明する電話帳データＤＴの共通化処理としては、子機Ｋ１においてそれに記憶されている電話帳データＤＴの内容が更新されたときに、親機Ｔ並びに他の子機Ｋ２及びＫ３における操作に基づき、当該新たに更新された子機Ｋ１内の電話帳データＤＴの内容をもって親機Ｔ並びに他の子機Ｋ２及びＫ３に記憶されている電話帳データＤＴの内容を更新することで、最終的に当該親機Ｔ並びに子機Ｋ１乃至Ｋ３に記憶されている電話帳データＤＴを夫々共通化する場合について説明する。
【００３７】
図３に示すように、第１実施形態に係る電話帳データＤＴの共通化処理としては、先ず、当該共通化処理の実行を所望する子機Ｋ３及びＫ２の操作者が、当該子機Ｋ３及びＫ２において対応する受信操作（すなわち、子機Ｋ１において更新された電話帳データＤＴを取得するための受信操作）を夫々実行すると（ステップＳ１、Ｓ５）、夫々の子機Ｋ３及びＫ２からその旨の受信要求が親機Ｔに送信され（ステップＳ２、Ｓ６）、当該受信要求を問題なく受信した旨の受信要求応答が親機Ｔから子機Ｋ３及びＫ２に夫々返信される（ステップＳ３、Ｓ７）。
【００３８】
その後、当該受信要求応答を受信した子機Ｋ３及びＫ２においては、実際に受信要求した電話帳データＤＴ（又は当該電話帳データＤＴを構成する電話帳レコードＲ）を受信するまで受信待機状態に入る（ステップＳ４、Ｓ８）。なお、当該受信待機状態において各子機Ｋ３及びＫ２において実行されている処理については、図４を用いて後ほど具体的に説明する。
【００３９】
一方、子機Ｋ３及びＫ２夫々から受信要求を受信した（ステップＳ２、Ｓ６）親機Ｔは、上記受信要求応答を当該子機Ｋ３及びＫ２に返信すると共に（ステップＳ３、Ｓ７）、当該親機Ｔにおいても当該共通化処理の実行を所望するその操作者により子機Ｋ３及びＫ２と同様の受信操作が為された後（ステップＳ９）、更に子機Ｋ３及びＫ２と同様の受信待機状態に入る（ステップＳ１０）。
【００４０】
そして、共通化処理の対象となる電話帳データＤＴをそのメモリ４内に記憶している子機Ｋ１の操作者により当該電話帳データＤＴを親機Ｔ並びに他の子機Ｋ３及びＫ２に送信する旨の操作が為されると（ステップＳ１１）、その操作対象となった電話帳データＤＴ（又は当該電話帳データＤＴを構成する電話帳レコードＲの一部）に相当する上記送信電話帳データＤを親機Ｔに対して送信する（ステップＳ１２）。
【００４１】
次に、当該送信電話帳データＤを受信した親機Ｔは、当該受信した送信電話帳データＤをそのメモリ４の揮発性領域内に一時的に保持し（ステップＳ１３）、当該メモリ４に記憶されている親機Ｔとしての電話帳データＤＴを当該保持している送信電話帳データＤを用いて更新しつつ、当該送信電話帳データＤを子機Ｋ３及び子機Ｋ２に対して連続的に転送する（ステップＳ１４、Ｓ１７）。
【００４２】
そして、当該送信電話帳データＤの送信を受けた子機Ｋ３は、当該送信された送信電話帳データＤを用いてそのメモリ４に記憶されている子機Ｋ３としての電話帳データＤＴを更新し（ステップＳ１５）、更に当該送信電話帳データＤを受信した旨の受信応答を親機Ｔに返信する（ステップＳ１６）。
【００４３】
また、当該送信電話帳データＤの送信を受けた子機Ｋ２は、上記子機Ｋ３と同様に、当該送信された送信電話帳データＤを用いてそのメモリ４に記憶されている子機Ｋ２としての電話帳データＤＴを更新し（ステップＳ１８）、更に当該送信電話帳データＤを受信した旨の受信応答を親機Ｔに返信する（ステップＳ１９）。
【００４４】
そして、各子機Ｋ３及びＫ２から夫々受信応答を受信した親機Ｔは、当該親機Ｔ並びに各子機Ｋ３及びＫ２に対して送信電話帳データＤを送信した旨の応答を子機Ｋ１に送信する（ステップＳ２０）。
【００４５】
これにより、当該送信応答を受信した子機Ｋ１は、共通化処理に必要な全ての電話帳レコードＲに相当する送信電話帳データＤの送信を終えた旨の終了要求を親機Ｔに送信し（ステップＳ２１）、これを受けた親機Ｔは、同様の終了要求を各子機Ｋ３及びＫ２に夫々送信する（ステップＳ２２、Ｓ２４）。
【００４６】
そして、当該終了要求を夫々受信した子機Ｋ３及びＫ２は、共通化処理を終了する旨の終了応答を夫々親機Ｔに送信し（ステップＳ２３、Ｓ２５）、これを受けた親機Ｔは、当該親機Ｔ自体における共通化処理を終了する旨の終了応答を各子機Ｋ３及びＫ２から受信した終了応答に加えて子機Ｋ１に送信する（ステップＳ２６）。
【００４７】
以上の図３に示す処理が時系列に沿って実行されることで、子機Ｋ１において更新された電話帳データＤＴの内容が親機Ｔ並びに他の子機Ｋ３及びＫ２に送信され、当該親機Ｔ並びに他の子機Ｋ３及びＫ２に記憶されている電話帳データＤＴがその送信された電話帳データＤＴの内容に更新される。
【００４８】
次に、上記ステップＳ４、Ｓ８及びＳ１０において実行される受信待機処理について、具体的に図４を用いて説明する。
【００４９】
当該受信待機処理としては、図４に示すように、各子機Ｋ３及びＫ２並びに親機Ｔにおける受信操作（ステップＳ１、Ｓ５及びＳ９）後に受信待機状態に移行する旨の操作が当該各子機Ｋ３及びＫ２並びに親機Ｔにおいて実行されると（ステップＳ３５）、各子機Ｋ３及びＫ２並びに親機Ｔ夫々の制御部２内のタイマ２Ａにおける計時を開始して送信電話帳データＤの送信を待機する（ステップＳ３６）。そして、当該送信電話帳データＤが送信されてきたならば（ステップＳ３６；ＹＥＳ）、各々当該送信されてきた送信電話帳データＤの受信処理（ステップＳ１３、Ｓ１５及びＳ１８）に移行する。
【００５０】
一方、上記ステップＳ３６の判定において、未だ送信電話帳データＤが送信されてこないときは（ステップＳ３６；ＮＯ）、タイマ２Ａにおける計時が予め設定されている待機時間（より具体的には、例えば１分程度）経過したか否かを確認し（ステップＳ３７）、当該待機時間が経過してないときは（ステップＳ３７；ＮＯ）、再度ステップＳ３６に戻って計時を継続する。
【００５１】
他方、ステップＳ３７の判定において、上記待機時間が経過しているときは（ステップＳ３７；ＹＥＳ）、今回の受信待機操作（ステップＳ３５）の対象となる送信電話帳データＤの送信は為されないものとしてそのまま受信待機状態を解除する。
【００５２】
次に、上記ステップＳ１２、Ｓ１４及びＳ１７として実行される送信電話帳データＤの送信処理について、当該送信処理としては、電話帳レコードＲ一件に相当する送信電話帳データＤを親機Ｔ並びに各子機Ｋ３及びＫ２に送信後、次の電話帳レコードＲ一件に相当する送信電話帳データＤを親機Ｔ並びに各子機Ｋ３及びＫ２に送信することを、送信が必要な電話帳レコードＲ分だけ連続して繰り返すことで当該送信処理を実行してもよいし、予め設定された件数分の電話帳レコードＲに相当する送信電話帳データＤを一度に親機Ｔ並びに各子機Ｋ３及びＫ２に送信してもよい。
【００５３】
この場合において、一度に送信する件数については、例えば電話システムＳが準拠するデジタル通信方式における例えば一パケットの情報量に収まる件数分の送信電話帳データＤを纏めて一度に送ることが好適である。この場合、各送信電話帳データＤのデータ長情報Ｈにより示される情報量を参照することで、一度に纏めて送信する件数を決定することができる。
【００５４】
一方、上記ステップＳ１３、Ｓ１５及びＳ１８としての受信処理（電話帳データＤＴの更新処理）においては、送信されてきた送信電話帳データＤのデータ長情報Ｈの内容を参照することで、当該データ長情報Ｈにより示される情報量のみをその送信されてきた送信電話帳データＤに含まれている電話帳レコードＲの記憶領域として夫々のメモリ４内に確保することを、当該送信されてくる送信電話帳データＤの数だけ繰り返しつつ、当該受信処理（電話帳データＤＴの更新処理）を行なう。
【００５５】
以上説明したように第１実施形態に係る電話システムＳの動作によれば、子機Ｋ３及びＫ２からの受信要求に基づき、子機Ｋ１から各子機Ｋ３及びＫ２夫々に対して纏めて送信電話帳データＤを送信するので、従来の如く送信電話帳データを各子機等一台ずつに対して逐次送信していた場合に比して、短時間で且つ効率的に送信電話帳データを必要な子機等に配布することができる。
【００５６】
従って、本来の外部電話回線Ｘとの間における通話以外の動作のために占有しなければならない時間を極力短縮して電話システムＳとしての利便性を向上させることができる。
【００５７】
また、受信要求を送信してきた各子機Ｋ３及びＫ２の夫々に対して送信電話帳データＤを連続して送信するので、より短時間に送信電話帳データＤを各子機Ｋ３及びＫ２に配布することができる。
【００５８】
更に、送信電話帳データＤが電話帳レコードＲとデータ長情報Ｈとから構成されており、各子機Ｋ３及びＫ２においてそのデータ長情報Ｈにより示される情報量に相当する記録領域のみを確保して送信電話帳データＤ（電話帳レコードＲ）を記録するので、送信電話帳データＤ自体の情報量を可変とすることができると共に各子機Ｋ３及びＫ２において無駄な記録領域を使用することなく送信電話帳データＤを記録して処理に供させることができることで、情報量の多い送信電話帳データＤを子機Ｋ１から各子機Ｋ３及びＫ２に送信する場合であっても、短時間で且つ効率的に当該送信を行うことができる。
【００５９】
更にまた、送信電話帳データＤとして複数件分の電話帳レコードＲを含ませる場合は、各子機Ｋ３及びＫ２において、受信したデータ長情報Ｈにより示される情報量に相当する記録領域のみを一件分毎に確保して送信電話帳データＤを記録するので、複数件分の電話帳レコードＲを一度に配布することができる。
【００６０】
また、送信電話帳データＤの送信元が子機Ｋ１であり、更に親機Ｔが当該子機Ｋ１から送信された送信電話帳データＤを中継する機能を備えているので、直接外部電話回線Ｘに接続する機能を有さない子機Ｋ１が有する更新された電話帳データＤＴであっても、対応する送信電話帳データＤを短時間に且つ効率的に他の子機Ｋ３及びＫ２に送信することができる。
【００６１】
（II）第２実施形態
次に、本願に係る他の実施形態である第２実施形態について、図５を用いて説明する。なお、図５は第２実施形態に係る電話システムにおける動作を示す流れ図である。
【００６２】
また、第２実施形態に係る電話システムの構成は、基本的に第１実施形態に係る電話システムＳの構成と同様であるので、以下の説明では同一の部材については同一の部材番号を用いて細部の説明は省略する。更に、図５において、図３に示す第１実施形態に係る電話システムＳの動作と同様の動作については、同様のステップ番号を付して細部の説明は省略する。
【００６３】
上述した第１実施形態においては、子機Ｋ１から親機Ｔを介して他の子機Ｋ３及びＫ２に対して送信電話帳データＤを送信するに当たり、各子機Ｋ３及びＫ２について、時系列的に連続して当該送信電話帳データＤを送信したが（図３ステップＳ１４、Ｓ１７参照）、以下に説明する第２実施形態においては、各子機Ｋ３及びＫ２について、子機Ｋ１から親機Ｔを介して同時並行的に送信電話帳データＤを送信する。
【００６４】
すなわち、図５に示すように、第２実施形態に係る電話帳データＤＴの共通化処理としては、先ず、図３に示すステップＳ１乃至Ｓ１３と同様の動作が、親機Ｔ並びに各子機Ｋ３及びＫ２において実行される。
【００６５】
そして、親機Ｔにおける送信電話帳データＤの保持／更新動作を実行しつつ（ステップＳ１３）、当該送信電話帳データＤを子機Ｋ３及び子機Ｋ２に対して同時に転送する（ステップＳ３０）。
【００６６】
ここで、当該ステップＳ３０の処理としては、例えば電話システムＳが準拠するデジタル通信方式における例えば一パケットの情報量に収まる量の送信電話帳データＤ（電話帳レコード一件分又は複数件分）を一度に送信し、これを子機Ｋ３及びＫ２において同時に受信することとなる（ステップＳ１５、Ｓ１８）。なおこの場合において、第１実施形態に係る親機Ｔから各子機Ｋ３及びＫ２への送信処理（図４ステップＳ１４及びＳ１７参照）と同様に、上記一パケット分の情報量以下の情報量である電話帳レコードＲ一件に相当する送信電話帳データＤを親機Ｔから各子機Ｋ３及びＫ２に同時送信後、次の電話帳レコードＲ一件に相当する送信電話帳データＤを親機Ｔから各子機Ｋ３及びＫ２に送信することを、送信が必要な電話帳レコードＲ分だけ連続して繰り返すことで当該送信処理を実行してもよいし、予め設定された件数分且つ上記一パケット分の情報量以下の情報量の電話帳レコードＲに相当する送信電話帳データＤを一度に親機Ｔから各子機Ｋ３及びＫ２に同時送信してもよい。
【００６７】
そして、当該ステップＳ３０の動作後は、これらを同時受信した子機Ｋ３及びＫ２から、夫々当該送信電話帳データＤを受信した旨の受信応答を親機Ｔに返信する（ステップＳ１６、Ｓ１９）。
【００６８】
その後、各子機Ｋ３及びＫ２から夫々受信応答を受信した親機Ｔは、当該親機Ｔ並びに各子機Ｋ３及びＫ２に対して送信電話帳データＤを送信した旨の応答を子機Ｋ１に送信する（ステップＳ２０）。
【００６９】
次に、図３に示すステップＳ２１の処理として子機Ｋ１からの終了要求を受信した親機Ｔは、同様の終了要求を各子機Ｋ３及びＫ２に同時に送信する（ステップＳ３１）。
【００７０】
そして、当該終了要求を同時受信した子機Ｋ３及びＫ２は、第１実施形態の場合と同様の終了応答を夫々親機Ｔに送信し（ステップＳ２３、Ｓ２５）、更に図３に示すステップＳ２６の処理が実行されて第２実施形態に係る電話帳データＤＴの共通化処理が完了する。
【００７１】
以上説明したように第２実施形態に係る電話システムの動作によれば、第１実施形態に係る電話システムＳと同様に、子機Ｋ３及びＫ２からの受信要求に基づき、子機Ｋ１から各子機Ｋ３及びＫ２夫々に対して纏めて送信電話帳データＤを送信するので、従来の如く送信電話帳データを各子機等一台ずつに対して逐次送信していた場合に比して、短時間で且つ効率的に送信電話帳データを必要な子機等に配布することができる。
【００７２】
従って、本来の外部電話回線Ｘとの間における通話以外の動作のために占有しなければならない時間を極力短縮して電話システムＳとしての利便性を向上させることができる。
【００７３】
また、受信要求を送信してきた各子機Ｋ３及びＫ２の夫々に対して送信電話帳データＤを同時送信するので、極めて短時間に送信電話帳データＤを各子機Ｋ３及びＫ２に配布することができる。
【００７４】
更に、送信電話帳データＤが電話帳レコードＲとデータ長情報Ｈとから構成されており、各子機Ｋ３及びＫ２においてそのデータ長情報Ｈにより示される情報量に相当する記録領域のみを確保して送信電話帳データＤ（電話帳レコードＲ）を記録するので、送信電話帳データＤ自体の情報量を可変とすることができると共に各子機Ｋ３及びＫ２において無駄な記録領域を使用することなく送信電話帳データＤを記録して処理に供させることができることで、情報量の多い送信電話帳データＤを子機Ｋ１から各子機Ｋ３及びＫ２に送信する場合であっても、短時間で且つ効率的に当該送信を行うことができる。
【００７５】
更にまた、送信電話帳データＤとして複数件分の電話帳レコードＲを含ませる場合は、各子機Ｋ３及びＫ２において、受信したデータ長情報Ｈにより示される情報量に相当する記録領域のみを一件分毎に確保して送信電話帳データＤを記録するので、複数件分の電話帳レコードＲを一度に配布することができる。
【００７６】
また、送信電話帳データＤの送信元が子機Ｋ１であり、更に親機Ｔが当該子機Ｋ１から送信された送信電話帳データＤを中継する機能を備えているので、直接外部電話回線Ｘに接続する機能を有さない子機Ｋ１が有する更新された電話帳データＤＴであっても、対応する送信電話帳データＤを短時間に且つ効率的に他の子機Ｋ３及びＫ２に送信することができる。
【００７７】
（III）第３実施形態
次に、本願に係る更に他の実施形態である第３実施形態について、図６を用いて説明する。なお、図６は第２実施形態に係る電話システムに対して第３実施形態に係る電話システムの動作を適用した場合の動作を示す流れ図である。
【００７８】
また、第３実施形態に係る電話システムの構成は、基本的に第２実施形態に係る電話システムの構成と同様であるので、以下の説明では同一の部材については同一の部材番号を用いて細部の説明は省略する。更に、図６において、図５に示す第２実施形態に係る電話システムの動作と同様の動作については、同様のステップ番号を付して細部の説明は省略する。
【００７９】
上述した第２実施形態（第１実施形態についても同様である）においては、各子機Ｋ３及びＫ２からの受信要求を端緒として電話帳データＤＴの共通化処理を開始したが、以下に説明する第３実施形態においては、各子機Ｋ３及びＫ２において受信要求のための操作をせずに、子機Ｋ１から親機Ｔへ送信された送信電話帳データＤを、当該親機Ｔからのいわゆる放送送信（Broadcast送信）を用いて一斉に（すなわち、各子機Ｋ２及びＫ３において上記初期受信操作（図５ステップＳ１、Ｓ５及びＳ９参照）を実行せずとも）各子機Ｋ２及びＫ３に対して送信する。
【００８０】
すなわち、図６に示すように、第３実施形態に係る電話帳データＤＴの共通化処理としては、先ず、図５に示すステップＳ１乃至Ｓ１０の動作は実行されず、最初に図５に示すステップＳ１１の動作を実行し、その後同ステップＳ１２の動作を実行する。
【００８１】
そして、親機Ｔにおける送信電話帳データＤの保持／更新動作を実行しつつ（ステップＳ１３）、当該送信電話帳データＤを子機Ｋ３及び子機Ｋ２に対して上記放送送信により同時に転送する（ステップＳ４０）。
【００８２】
ここで、当該ステップＳ４０の処理としては、図５に示すステップＳ３０の動作と同様に、例えば第３実施形態に係る電話システムが準拠するデジタル通信方式における例えば一パケットの情報量に収まる量の送信電話帳データＤ（電話帳レコード一件分又は複数件分）を一度に送信し、これを子機Ｋ３及びＫ２において同時に受信することとなる（ステップＳ１５、Ｓ１８）。またこの場合において、第１実施形態に係る親機Ｔから各子機Ｋ３及びＫ２への送信処理（図４ステップＳ１４及びＳ１７参照）と同様に、上記一パケット分の情報量以下の情報量である電話帳レコードＲ一件に相当する送信電話帳データＤを親機Ｔから各子機Ｋ３及びＫ２に同時送信後、次の電話帳レコードＲ一件に相当する送信電話帳データＤを親機Ｔから各子機Ｋ３及びＫ２に送信することを、送信が必要な電話帳レコードＲ分だけ連続して繰り返すことで当該送信処理を実行してもよいし、予め設定された件数分且つ上記一パケット分の情報量以下の情報量の電話帳レコードＲに相当する送信電話帳データＤを一度に親機Ｔから各子機Ｋ３及びＫ２に同時送信してもよい。
【００８３】
そして、当該ステップＳ４０の動作後は、図５に示すステップＳ１６、Ｓ１９、Ｓ２０、Ｓ３１、Ｓ２３、Ｓ２５及びＳ２６の動作が順次実行されて第３実施形態に係る電話帳データＤＴの共通化処理が完了する。
【００８４】
以上説明したように第３実施形態に係る電話システムの動作によれば、子機Ｋ１から各子機Ｋ３及びＫ２夫々に対して纏めて送信電話帳データＤを送信するので、従来の如く送信電話帳データを各子機等一台ずつに対して逐次送信していた場合に比して、短時間で且つ効率的に送信電話帳データＤを必要な子機等に配布することができる。
【００８５】
従って、本来の外部電話回線Ｘとの間における通話以外の動作のために占有しなければならない時間を極力短縮して電話システムＳとしての利便性を向上させることができる。
【００８６】
また、親機Ｔからの放送送信により送信電話帳データＤを各子機Ｋ３及びＫ２に対して一斉送信するので、当該親機Ｔ並びに各子機Ｋ２及びＫ３において初期受信操作（図５ステップＳ１、Ｓ５及びＳ９参照）を実行する煩わしさを回避しつつ、且つ極めて短時間に送信電話帳データＤを各子機Ｋ３及びＫ２に配布することができる。
【００８７】
更に、送信電話帳データＤが電話帳レコードＲとデータ長情報Ｈとから構成されており、各子機Ｋ３及びＫ２においてそのデータ長情報Ｈにより示される情報量に相当する記録領域のみを確保して送信電話帳データＤを記録するので、送信電話帳データＤ自体の情報量を可変とすることができると共に各子機Ｋ３及びＫ２において無駄な記録領域を使用することなく送信電話帳データＤを記録して処理に供させることができることで、情報量の多い送信電話帳データＤを子機Ｋ１から各子機Ｋ３及びＫ２に送信する場合であっても、短時間で且つ効率的に当該送信を行うことができる。
【００８８】
更にまた、送信電話帳データＤとして複数件分の電話帳レコードＲを含ませる場合は、各子機Ｋ３及びＫ２において、受信したデータ長情報Ｈにより示される情報量に相当する記録領域のみを一件分毎に確保して送信電話帳データＤを記録するので、複数件分の電話帳レコードＲを一度に配布することができる。
【００８９】
また、送信電話帳データＤの送信元が子機Ｋ１であり、更に親機Ｔが当該子機Ｋ１から送信された送信電話帳データＤを中継する機能を備えているので、直接外部電話回線Ｘに接続する機能を有さない子機Ｋ１が有する更新された電話帳データＤＴであっても、対応する送信電話帳データＤを短時間に且つ効率的に他の子機Ｋ３及びＫ２に送信することができる。
【００９０】
（IV）変形形態
次に、本願に係る変形形態について説明する。
【００９１】
上述した各実施形態においては、親機Ｔ並びに子機Ｋ１乃至Ｋ３において電話帳データＤＴを共通化する場合に本願を適用したが、これ以外に、本願に係る変形形態として、例えば電話機としての特定の機能の設定を共通化する場合において、その共通化のための情報を電話システムを構成する各電話機間で転送する場合に本願を適用することもできる。
【００９２】
より具体的には、例えば、第１実施形態に係る電話システムＳを構成する親機Ｔ並びに各子機Ｋ１乃至Ｋ３における着信音量の設定（より詳細には、例えば親機Ｔ並びに各子機Ｋ１乃至Ｋ３における着信音量を消音化する場合等）を、例えば子機Ｋ１からの操作により共通的に設定する場合に本願を適用することもできる。この場合には、当該設定後の着信音量を示す音量データを、当該音量データ自体の情報量を示すデータ長情報Ｈと共に子機Ｋ１から親機Ｔを介して他の子機Ｋ３及びＫ２に送信することとなる。
【００９３】
以上説明した変形形態の場合には、各子機等において同一に設定されるべき着信音量を設定するための音量データが授受されると、一つの例えば子機における操作により一度に他の親機や子機の着信音量を設定することができる。
【００９４】
更に、着信音量の設定だけでなく、着信音の音色の共通化処理や、留守番電話の応答用メッセージの共通化処理等に本願を適用することも可能である。
【００９５】
更に、図３、図５又は図６に示す流れ図に対応する親機Ｔ又は各子機Ｋ１乃至Ｋ３用のプログラムを、フレキシブルディスク又はハードディスク等の情報記録媒体に記録しておき、又はインターネット等を介して取得して記録しておき、これらを汎用のコンピュータで読み出して実行することにより、当該コンピュータを実施形態に係る各制御部２として活用することも可能である。
【図面の簡単な説明】
【００９６】
【図１】第１実施形態に係る電話システムの概要構成を示すブロック図である。
【図２】第１実施形態に係る電話システム内において授受される電話帳データの構造を示す図である。
【図３】第１実施形態に係る電話システムにおける動作を示す流れ図である。
【図４】第１実施形態に係る電話システムの動作における受信待機状態の際の動作を示すフローチャートである。
【図５】第２実施形態に係る電話システムにおける動作を示す流れ図である。
【図６】第３実施形態に係る電話システムにおける動作を示す流れ図である。
【符号の説明】
【００９７】
１    表示部
２    制御部
２Ａ    タイマ
３    操作部
４    メモリ
５    無線部
６    アンテナ
７    インターフェース
Ｓ    電話システム
Ｘ    外部電話回線
Ｔ    親機
Ｄ    送信電話帳データ
Ｒ    電話帳レコード
Ｎ    表示名情報
Ｙ    読み情報
ＮＯ    電話番号情報
Ｈ    データ長情報
ＤＴ    電話帳データ
Ｋ１、Ｋ２、Ｋ３    子機
【図１】
2007336238.tif 000003
【図２】
2007336238.tif 000004
【図３】
2007336238.tif 000005
【図４】
2007336238.tif 000006
【図５】
2007336238.tif 000007
【図６】
2007336238.tif 000008